(57)【特許請求の範囲】
【請求項１】
少なくとも１つの電子機器から構成される通信システムと、地上端末を有し、前記地上端末を使って前記通信システムとの間で無線回線を介して交信を行う地上通信システムとから成る無線通信システムの試験システムであって、
前記地上端末は、
試験識別子、試験信号値、要求基準および計測信号値を含む試験情報を記憶する記憶部と、
前記記憶部の前記試験情報を参照し、前記通信システムの前記電子機器に対して試験データを送出する試験データ送出手段と、
前記電子機器から受信した試験結果情報を元に故障箇所の予測を行う試験データ評価手段と、を備え、
前記電子機器は、前記地上端末から送出された前記試験データに基づいて評価試験を実施し、前記地上端末に対して試験結果情報を送信する試験結果出力手段を備えることを特徴とする試験システム。
【請求項２】
請求項１に記載の試験システムにおいて、前記試験結果情報には、前記電子機器から出力される出力先の接続経路情報が含まれていることを特徴とする試験システム。
【請求項３】
請求項２に記載の試験システムにおいて、前記地上端末は、前記試験データ評価手段で、前記試験情報を基に接続経路の判定を行うと共に、前記接続経路判定結果を基に故障箇所の予測を行うことを特徴とする試験システム。
【請求項４】
複数の電子機器から構成される通信システムと、地上端末を有し、前記地上端末を使って前記通信システムとの間で無線回線を介して交信を行う地上通信システムとから成る無線通信システムの試験システムであって、
前記地上端末は、
試験識別子、試験信号値、要求基準および計測信号値を含む試験情報を記憶する記憶部と、
前記記憶部の前記試験情報を参照し、前記通信システムの前記電子機器に対して試験データを送出する試験データ送出手段と、
前記電子機器から受信した試験結果情報を元に故障箇所の予測を行う試験データ評価手段と、を備え、
前記電子機器は、前記地上端末から送出された前記試験データに基づいて評価試験を実施し、前記地上端末に対して試験結果情報を送信する試験結果出力手段を備え、
前記試験結果情報には、前記電子機器から出力される出力先の接続経路情報が含まれ、
前記地上端末は、前記試験データ評価手段で、前記試験情報を基に接続経路の判定を行うと共に、前記接続経路判定結果を基に故障箇所の予測を行うことにより、前記複数の電子機器のうちの何れの電子機器が故障と予測されるかの特定がなされることを特徴とする試験システム。
【発明の詳細な説明】
【技術分野】
【０００１】
本発明は、試験対象の電子機器を試験する試験システムに関する。
【背景技術】
【０００２】
近年、各種の機器について電子化が広く及び、特に、航空機においては、姿勢制御系統は勿論、ほとんどの制御機器が電子化されている状況にある。
ところで、どのような機器でも機能に信頼性を要する点に変わりはないが、航空機に搭載して使用される機器の場合、特に高い信頼性が要求されるのは当然のことで、このため航空機用の電子機器(電子器材)には定期的な整備がほとんど不可欠である。これは、整備を行い検査することによって異常が検出でき、故障を未然に防止することができるからである。
【０００３】
現在、航空機に搭載されている無線機等の電子機器に対して、機能または性能を確認するための試験装置が開発されている。当該試験装置での試験は、以下のように行われる。
（１）試験対象となる電子機器を航空機から取り外して、試験装置と接続する。
（２）航空機から取り出した単体の電子機器と試験装置とで対向通信を行い、電子機器の通信機能を確認する。
【０００４】
例えば、特許文献１には、試験の結果が異常であるときに、その原因が被試験装置の故障によるものであるのか、それ以外であるのかを判定し、早期に異常原因を特定できる装置試験システムが開示されている。
【先行技術文献】
【特許文献】
【０００５】
【特許文献１】特開２０１０−０６６０８１号公報
【発明の概要】
【発明が解決しようとする課題】
【０００６】
上述したように、従来の試験装置では、航空機に搭載されているすべての電子機器の中から、試験対象となる電子機器を取り外して、電子機器単体の試験を行っていた。
つまり、従来の試験装置では、電子機器を単体で試験しており、航空機に搭載されているすべての電子機器および航空機外で使用されている通信機材を含めた総合的な試験が行われていなかった。
その為、電子機器が単体で使用された場合は良好と判断されていても、航空機の通信システム上では正しく動作しない場合があった。
また、航空機の通信システムに異常が見られた時、航空機から電子機器単体を取り外して故障確認をしていたため、故障機器の探求に時間を要していた。
【０００７】
本発明は、このような従来の事情に鑑みなされたものであり、航空機に搭載された各々の電子機器に試験機能を埋め込み、通信システム上で各々の電子機器の入出力を確認することにより、航空機から電子機器を取り外すことなく、通信システム上での動作確認が行え、試験の効率化並びに費用の低減を図ることが可能な試験システムを提供することを目的とする。
【課題を解決するための手段】
【０００８】
上記目的を達成するために、本発明に係る試験システムは、少なくとも１つの電子機器から構成される通信システムと、地上端末を有し、前記地上端末を使って前記通信システムとの間で無線回線を介して交信を行う地上通信システムとから成る無線通信システムの試験システムであって、前記地上端末は、試験識別子、試験信号値、要求基準および計測信号値を含む試験情報を記憶する記憶部と、前記記憶部の前記試験情報を参照し、前記通信システムの前記電子機器に対して試験データを送出する試験データ送出手段と、前記電子機器から受信した試験結果情報を元に故障箇所の予測を行う試験データ評価手段と、を備え、前記電子機器は、前記地上端末から送出された前記試験データに基づいて評価試験を実施し、前記地上端末に対して試験結果情報を送信する試験結果出力手段を備えることを特徴とする。
【０００９】
また、上記目的を達成するために、本発明に係る試験システムは、上記した試験システムにおいて、前記試験結果情報には、前記電子機器から出力される出力先の接続経路情報が含まれていることを特徴とする。
【００１０】
また、上記目的を達成するために、本発明に係る試験システムは、上記した試験システムにおいて、前記地上端末は、前記試験データ評価手段で、前記試験情報を基に接続経路の判定を行うと共に、前記接続経路判定結果を基に故障箇所の予測を行うことを特徴とする。
【００１１】
特に本発明に係わる試験システムにおいて、前記した少なくとも１つの電子機器から構成される通信システムが、複数の電子機器から構成される通信システムである場合に、これら複数の電子機器の各々の試験データ評価手段によって、前記試験情報を基に接続経路の判定を行うことで、前記複数の電子機器のうちの何れの電子機器が故障と予測されるかの特定がされることを特徴とする。
【００１２】
また、上記目的を達成するために、本発明に係る試験システムは、複数の電子機器から構成される通信システムと、地上端末を有し、前記地上端末を使って前記通信システムとの間で無線回線を介して交信を行う地上通信システムとから成る無線通信システムの試験システムであって、前記地上端末は、試験識別子、試験信号値、要求基準および計測信号値を含む試験情報を記憶する記憶部と、前記記憶部の前記試験情報を参照し、前記通信システムの前記電子機器に対して試験データを送出する試験データ送出手段と、前記電子機器から受信した試験結果情報を元に故障箇所の予測を行う試験データ評価手段と、を備え、前記電子機器は、前記地上端末から送出された前記試験データに基づいて評価試験を実施し、前記地上端末に対して試験結果情報を送信する試験結果出力手段を備え、前記試験結果情報には、前記電子機器から出力される出力先の接続経路情報が含まれ、前記地上端末は、前記試験データ評価手段で、前記試験情報を基に接続経路の判定を行うと共に、前記接続経路判定結果を基に故障箇所の予測を行うことにより、前記複数の電子機器のうちの何れの電子機器が故障と予測されるかの特定がなされることを特徴とする。
【発明の効果】
【００１３】
本発明によれば、航空機に搭載された各々の電子機器に試験機能を埋め込み、通信システム上で各々の電子機器の入出力を確認することにより、航空機から電子機器を取り外すことなく、通信システム上での動作確認が行え、試験の効率化並びに費用の低減を図ることができる。
【図面の簡単な説明】
【００１４】
【図１】本発明の一実施形態に係る試験システムを採用した無線通信システムの構成の一例を示すブロック図である。
【図２】地上端末の記憶部に記憶される試験情報の構成を示す図である。
【図３】地上端末の記憶部に記憶される経路評価情報の構成を示す図である。
【図４】地上端末の記憶部に記憶される故障箇所予測情報の構成を示す図である。
【発明を実施するための形態】
【００１５】
以下、本発明の一実施形態に係る試験システムを採用した無線通信システムについて説明する。
本発明の一実施形態に係る試験システムを採用した無線通信システムは、航空機通信システムを構成する各々の電子機器に試験機能を実装し、地上通信システムの地上端末から航空機通信システムの電子機器に試験用データを送信し、航空機通信システムから受信した各電子機器の入出力データを確認することにより、航空機から電子機器を取り外すことなく、航空機通信システム上での動作確認が行え、試験の効率化並びに費用の低減を図ることができるものである。
【００１６】
［無線通信システムの制御構成］
本発明の一実施形態に係る試験システムを採用した無線通信システム１の制御構成について、図１を参照して説明する。図１は、本発明の一実施形態に係る試験システムを採用した無線通信システムの構成の一例を示すブロック図である。図１に示す無線通信システムは、例えば、地上にある地上通信システムと航空機等に搭載された航空機通信システムとの間で行われる、無線を介した、音声、映像またはデータ等の情報を送受信するシステムである。
【００１７】
図１に示すように、本発明の無線通信システム１は、地上に設置された地上通信システム２００と、航空機等に搭載された航空機通信システム１００とから構成され、地上通信システム２００と航空機通信システム１００との間は図示していない無線回線を介して接続されている。
【００１８】
［地上通信システムの制御構成］
地上通信システム２００は、地上において航空機との間で様々な交信を行う地上端末２１０と、地上端末２１０から入力された音声等の情報をＨＦ（High  Frequency）またはＵＨＦ（Ultra  High  Frequency）の電波帯で無線送信すると共に、航空機通信システム１００のＨＦ／ＵＨＦ無線機１３０から無線送信された情報を受信するＨＦ／ＵＨＦ無線機２２０と、地上端末２１０から入力された音声等の情報を図示していない衛星通信回線を介して無線送信すると共に、航空機通信システム１００の衛星通信装置１４０から無線送信された情報を受信する衛星通信装置２３０とから構成されている。
【００１９】
地上端末２１０は、試験データ送出手段２１１ａと試験データ評価手段２１１ｂを備えた制御部２１１と、試験情報２１２ａと経路評価情報２１２ｂと故障箇所予測情報２１２ｃを記憶する記憶部２１２とを含んで構成されている。
制御部２１１は、地上端末２１０の信号処理、並びに全制御を行う。また、制御部２１１は、試験データ送出手段２１１ａによって、記憶部２１２から試験情報２１２ａの試験信号値を読み出して、ＨＦ／ＵＨＦ無線機２２０または衛星通信装置２３０に出力する。また、制御部２１１は、試験データ評価手段２１１ｂによって、航空機通信システム１００の各電子機器から送信された試験結果データを記憶部２１２の試験情報２１２ａに登録する。また、制御部２１１は、試験情報２１２ａに登録された航空機通信システム１００の各電子機器の試験結果情報に基づいて、試験データ評価手段２１１ｂによって、航空機通信システム１００の各電子機器の経路評価並びに故障箇所予測を行い、経路評価情報２１２ｂまたは故障箇所予測情報２１２ｃに登録する。
【００２０】
ここで、地上端末２１０の記憶部２１２に記憶される試験情報２１２ａ、経路評価情報２１２ｂおよび故障箇所予測情報２１２ｃの詳細について、図２〜図４を参照して説明する。図２は、地上端末の記憶部に記憶される試験情報の構成を示す図である。図３は、地上端末の記憶部に記憶される経路評価情報の構成を示す図である。また、図４は、地上端末の記憶部に記憶される故障箇所予測情報の構成を示す図である。
【００２１】
試験情報２１２ａは、図２に示すように、試験識別子２１２ａ１、試験信号値２１２ａ２、要求基準２１２ａ３および計測信号値２１２ａ４を含む。試験識別子２１２ａ１は、試験項目を識別するための識別子である。試験信号値２１２ａ２は、航空機通信システム１００の各電子機器に送信される試験信号の値を示す数値である。要求基準２１２ａ３は、出力信号値が「良」と判定されるための後述する航空機通信システム１００の各電子機器間の接続経路毎に定めた基準であり、例えば、要求基準が「９．６Ｗ〜１４．４Ｗ」である場合に航空機通信システム１００の所定の接続経路での出力信号値２１２ａ４が１２Ｗであるときには、試験結果は「良」と判定される。計測信号値２１２ａ４は、航空機通信システム１００の電子機器同士を接続する接続経路毎に入出力される計測信号値である。
【００２２】
経路評価情報２１２ｂは、図３に示すように、経路ＩＤ２１２ｂ１、検証箇所２１２ｂ２および判定結果２１２ｂ３を含み、試験情報２１２ａの試験項目毎に登録されている。経路ＩＤ２１２ｂ１は、航空機通信システム１００の電子機器同士を接続する接続経路を識別するための識別子である。検証箇所２１２ｂ２は、上述した接続経路の入力箇所または出力箇所を示している。判定結果２１２ｂ３は、試験情報２１２ａを基にして制御部２１１の試験データ評価手段２１１ｂで行われた接続経路毎の判定結果を示している。
【００２３】
故障箇所予測情報２１２ｃは、図４に示すように、電子機器名２１２ｃ１、検証箇所２１２ｃ２および想定故障レベル２１２ｃ３を含む。電子機器名２１２ｃ１は、航空機通信システム１００の各電子機器の名称を示している。検証箇所２１２ｃ２は、航空機通信システム１００の電子機器同士を接続する接続経路の入力箇所または出力箇所を示している。想定故障箇所２１２ｃ３は、試験情報２１２ａおよび経路評価情報２１２ｂを基にして制御部２１１の試験データ評価手段２１１ｂで評価した検証箇所毎の故障レベルを示している。
【００２４】
ＨＦ／ＵＨＦ無線機２２０は、試験データ入出力手段２２１ａを備えた制御部２２１を含んで構成されている。
制御部２２１は、ＨＦ／ＵＨＦ無線機２２０の信号処理、並びに全制御を行う。また、制御部２２１は、試験データ入出力手段２２１ａによって、地上端末２１０から入力された試験データを航空機通信システム１００のＨＦ／ＵＨＦ無線機１３０に無線送信する。また、制御部２２１は、試験データ入出力手段２２１ａによって、航空機通信システム１００のＨＦ／ＵＨＦ無線機１３０から送信された試験結果データを地上端末２１０に出力する。
【００２５】
衛星通信装置２３０は、試験データ入出力手段２３１ａを備えた制御部２３１を含んで構成されている。
制御部２３１は、衛星通信装置２３０の信号処理、並びに全制御を行う。また、制御部２３１は、試験データ入出力手段２３１ａによって、地上端末２１０から入力された試験データを航空機通信システム１００の衛星通信装置１４０に無線送信する。また、制御部２３１は、試験データ入出力手段２３１ａによって、航空機通信システム１００の衛星通信装置１４０から送信された試験結果データを地上端末２１０に出力する。
【００２６】
［航空機通信システムの制御構成］
航空機通信システム１００は、地上端末２１０のＨＦ／ＵＨＦ無線機２２０との間でＨＦまたはＵＨＦの電波帯で情報の送受信を行うＨＦ／ＵＨＦ無線機１３０と、地上端末２１０の衛星通信装置２３０との間で図示していない衛星通信回線を介して情報の送受信を行う衛星通信装置１４０と、ＨＦ／ＵＨＦ無線機１３０または衛星通信装置１４０との間で無線信号または衛星信号の変換処理を行い、電子機器（Ａ）１１０との間で情報のやり取りを行う電子機器（Ｂ）１２０と、電子機器（Ａ）１１０とから構成されている。
【００２７】
ＨＦ／ＵＨＦ無線機１３０は、試験データ入出力手段１３１ａと経路ＩＤ付与手段１３１ｂを備えた制御部１３１を含んで構成されている。
制御部１３１は、ＨＦ／ＵＨＦ無線機１３０の信号処理、並びに全制御を行う。また、制御部１３１は、地上通信システム２００のＨＦ／ＵＨＦ無線機２２０から無線送信された試験データを処理し、経路ＩＤ付与手段１３１ｂによって、処理した試験データに出力先の接続経路Ｃ２を示す経路ＩＤ（ｃ００２）を付加し、試験データ入出力手段１３１ａによって、電子機器（Ｂ）１２０の無線通信信号変換部１２１に出力する。また、制御部１３１は、電子機器（Ｂ）１２０の無線通信信号変換部１２１から入力された試験データを処理し、経路ＩＤ付与手段１３１ｂによって、処理した試験データに出力先の接続経路Ｃ４を示す経路ＩＤ（ｃ００４）を付加し、試験データ入出力手段１３１ａによって、地上通信システム２００のＨＦ／ＵＨＦ無線機２２０に無線送信する。
【００２８】
衛星通信装置１４０は、試験データ入出力手段１４１ａと経路ＩＤ付与手段１４１ｂを備えた制御部１４１を含んで構成されている。
制御部１４１は、衛星通信装置１４０の信号処理、並びに全制御を行う。また、制御部１４１は、地上通信システム２００の衛星通信装置２３０から無線送信された試験データを処理し、経路ＩＤ付与手段１４１ｂによって、処理した試験データに出力先の接続経路Ｃ３を示す経路ＩＤ（ｃ００３）を付加し、試験データ入出力手段１４１ａによって、電子機器（Ｂ）１２０の衛星通信信号変換部１２２に出力する。また、制御部１４１は、電子機器（Ｂ）１２０の衛星通信信号変換部１２２から入力された試験データを処理し、経路ＩＤ付与手段１４１ｂによって、処理した試験データに出力先の接続経路Ｃ５を示す経路ＩＤ（ｃ００５）を付加し、試験データ入出力手段１４１ａによって、地上通信システム２００の衛星通信装置２３０に無線送信する。
【００２９】
電子機器（Ｂ）１２０は、変復調部１２１ａを備えた無線通信信号変換部１２１と、調歩同期部１２２ａを備えた衛星通信信号変換部１２２と、試験データ入出力手段１２３ａと経路ＩＤ付与手段１２３ｂを備えた制御部１２３と、シリアルＩ／Ｆ（インターフェース）１２４と、入出力切替部１２５とを含んで構成されている。
【００３０】
無線通信信号変換部１２１は、ＨＦ／ＵＨＦ無線機１３０から入力された試験データを変復調部１２１ａで復調処理したり、電子機器（Ａ）１１０からシリアルＩ／Ｆ１２４および入出力切替部１２５を介して入力された試験結果データを変調処理し、ＨＦ／ＵＨＦ無線機１３０へ出力する。
衛星通信信号変換部１２２は、衛星通信装置１４０から入力された試験データを調歩同期部１２２ａで調歩同期方式にてデータ送信したり、電子機器（Ａ）１１０からシリアルＩ／Ｆ１２４および入出力切替部１２５を介して入力された試験結果データを調歩同期方式にて衛星通信装置１４０へ出力する。
入出力切替部１２５は、制御部１２３からの指示により、無線通信信号変換部１２１または衛星通信信号変換部１２２のシリアルＩ／Ｆ１２４への接続切り替えを行う。
シリアルＩ／Ｆ１２４は、電子機器（Ｂ）１２０と電子機器（Ａ）１１０と間でデータを送受信する際のシリアル転送方式による接続インターフェースである。
【００３１】
制御部１２３は、電子機器（Ｂ）１２０の信号処理、並びに全制御を行う。また、制御部１２３は、ＨＦ／ＵＨＦ無線機１３０または衛星通信装置１４０から入力された試験データが内部で処理された後、経路ＩＤ付与手段１２３ｂによって、処理された試験データに出力先の接続経路Ｃ１を示す経路ＩＤ（ｃ００１）を付加し、試験データ入出力手段１２３ａによって、電子機器（Ａ）１１０に出力する。また、制御部１２３は、電子機器（Ａ）１１０から入力された試験データが内部で処理された後、経路ＩＤ付与手段１２３ｂによって、処理された試験データに出力先の接続経路Ｃ２またはＣ３を示す経路ＩＤ（ｃ００２またはｃ００３）を付加し、試験データ入出力手段１２３ａによって、ＨＦ／ＵＨＦ無線機１３０または衛星通信装置１４０に出力する。
【００３２】
電子機器（Ａ）１１０は、試験データ入出力手段１１１ａと経路ＩＤ付与手段１１１ｂを備えた制御部１１１を含んで構成されている。
制御部１１１は、電子機器（Ａ）１１０の信号処理、並びに全制御を行う。また、制御部１１１は、電子機器（Ｂ）１２０から入力された試験データが内部で処理された後、経路ＩＤ付与手段１１１ｂによって、処理された試験データに出力先の接続経路Ｃ１を示す経路ＩＤ（ｃ００１）を付加し、試験データ入出力手段１１１ａによって、電子機器（Ｂ）１２０に出力する。
【００３３】
［無線通信システムの動作］
次に、本発明の一実施形態に係る試験システムを採用した無線通信システム１の動作について、図１〜図４を参照して説明する。
例えば、無線通信システム１のシステム上での動作確認試験を行うために、オペレータが、地上通信システム２００の地上端末２１０を操作して、図２の試験情報２１２ａの試験識別子２１２ａ１の試験「Ｔ１」を選択すると、試験信号値２１２ａ２の試験「Ｔ１」に該当する試験データが読み出され、ＨＦ／ＵＨＦ無線機２２０および衛星通信装置２３０に出力される。
【００３４】
ＨＦ／ＵＨＦ無線機２２０および衛星通信装置２３０は、地上端末２１０から入力された試験データをそれぞれＨＦまたはＵＨＦの電波帯、並びに衛星通信回線を介して航空機通信システム１００のＨＦ／ＵＨＦ無線機１３０および衛星通信装置１４０に無線送信する。
ＨＦ／ＵＨＦ無線機１３０および衛星通信装置１４０は、ＨＦ／ＵＨＦ無線機２２０および衛星通信装置２３０から受信した試験データに出力先の接続経路Ｃ２またはＣ３を示す経路ＩＤ（ｃ００２またはｃ００３）を付加して電子機器（Ｂ）１２０の無線通信信号変換部１２１および衛星通信信号変換部１２２に出力する。
【００３５】
電子機器（Ｂ）１２０は、ＨＦ／ＵＨＦ無線機１３０および衛星通信装置１４０から入力された試験データをそれぞれ無線通信信号変換部１２１および衛星通信信号変換部１２２で信号変換を行った後に内部処理し、入出力切替部１２５およびシリアルＩ／Ｆ１２４を介して、内部処理された試験データに出力先の接続経路Ｃ１を示す経路ＩＤ（ｃ００１）を付加して電子機器（Ａ）１１０に出力する。
なお、電子機器（Ｂ）１２０では、シリアルＩ／Ｆ１２４を介して電子機器（Ａ）１１０に試験データを送信するが、無線通信信号変換部１２１および衛星通信信号変換部１２２からそれぞれ出力された試験データを同時に電子機器（Ａ）１１０に送信できないため、タイミングをずらして順次出力するようにする。
【００３６】
電子機器（Ａ）１１０は、電子機器（Ｂ）１２０から入力された試験データを内部処理した後、内部処理した試験データに出力先の接続経路Ｃ１を示す経路ＩＤ（ｃ００１）を付加して電子機器（Ｂ）１２０に出力する。
【００３７】
電子機器（Ｂ）１２０は、電子機器（Ａ）１１０から、シリアルＩ／Ｆ１２４および入出力切替部１２５を介して入力された試験データを内部処理した後、それぞれ無線通信信号変換部１２１または衛星通信信号変換部１２２で信号変換を行い、出力先の接続経路Ｃ２またはＣ２を示す経路ＩＤ（ｃ００２またはｃ００３）を付加して、それぞれＨＦ／ＵＨＦ無線機１３０または衛星通信装置１４０に出力する。
【００３８】
ＨＦ／ＵＨＦ無線機１３０または衛星通信装置１４０は、電子機器（Ｂ）１２０の無線通信信号変換部１２１または衛星通信信号変換部１２２から入力された試験データおよび試験結果情報に出力先の接続経路Ｃ４またはＣ５を示す経路ＩＤ（ｃ００４またはｃ００５）を付加し、それぞれＨＦまたはＵＨＦの電波帯、並びに衛星通信回線を介して地上通信システム２００のＨＦ／ＵＨＦ無線機２２０または衛星通信装置２３０に無線送信する。
ＨＦ／ＵＨＦ無線機２２０または衛星通信装置２３０は、ＨＦ／ＵＨＦ無線機１３０または衛星通信装置１４０から受信した試験データおよび試験結果情報を地上端末２１０に出力する。
【００３９】
地上端末２１０では、航空機通信システム１００から送信された各電子機器間の接続経路での試験結果情報を基にして、接続経路評価および故障箇所予測を行う。
まず、地上端末２１０では、図２の試験情報２１２ａを参照して、航空機通信システム１００の各々の電子機器の出力と入力を確認する。つまり、自端末から出力された試験データ（試験信号値）に対応する要求基準と各々の電子機器間の接続経路での出力および入力結果を比較して良否の判定を行う。例えば、図３に示す経路評価情報２１２ｂが接続経路の評価結果を示している。図３に示すように、無線通信システム１のシステム上での動作確認試験（試験Ｔ１）において、接続経路Ｃ２およびＣ４の出力が判定「否」となっている。
【００４０】
次に、地上端末２１０では、図３の経路評価情報を元に故障箇所予測を行う。例えば、図４に示す故障箇所予測情報２１２ｃが故障箇所予測結果である。図４に示すように、無線通信システム１のシステム上での動作確認試験（試験Ｔ１）を行った結果、電子機器（Ｂ）１２０の変復調部１２１ａの出力に問題があることがわかる。
【００４１】
以上説明したように、本発明の一実施形態に係る試験システムによれば、航空機に搭載された各々の電子機器に試験機能を埋め込み、通信システム上で各々の電子機器の入出力を確認することにより、航空機から電子機器を取り外すことなく、通信システム上での動作確認が行え、試験の効率化並びに費用の低減を図ることができる。
【００４２】
なお、上記実施形態の構成及び動作は例であって、本発明の趣旨を逸脱しない範囲で適宜変更して実行することができる。
【産業上の利用可能性】
【００４３】
本発明は、複数の電子機器から構成される通信システムにおいて、システム上での動作確認を行う試験システムに適用することができる。
また、本発明は、航空機に限らず適用可能であり、特に移動体（船舶や車両など）に搭載された通信機器、電子機器に用いて好適である。
【符号の説明】
【００４４】
１：無線通信システム、１００：航空機通信システム、１１０：電子機器（Ａ）、１１１：制御部、１１１ａ：試験データ送出手段、１１１ｂ：経路ＩＤ付与手段、１２０：電子機器（Ｂ）、１２１：無線通信信号変換部、１２１ａ：変復調部、１２２：衛星通信信号変換部、１２２ａ：調歩同期部、１２３：制御部、１２３ａ：試験データ入出力手段、１２３ｂ：経路ＩＤ付与手段、１２４：シリアルＩ／Ｆ、１２５：入出力切替部、１３０：ＨＦ／ＵＨＦ無線機、１３１：制御部、１３１ａ：試験データ入出力手段、１３１ｂ：経路ＩＤ付与手段、１４０：衛星通信装置、１４１：制御部、１４１ａ：試験データ入出力手段、１４１ｂ：経路ＩＤ付与手段、２００：地上通信システム、２１０：地上端末、２１１：制御部、２１１ａ：試験データ入出力手段、２１１ｂ：試験データ評価手段、２１２：記憶部、２１２ａ：試験情報、２１２ａ１：試験識別子、２１２ａ２：試験信号値、２１２ａ３：要求基準、２１２ａ４：計測信号値、２１２ｂ：経路評価情報、２１２ｂ１：経路ＩＤ、２１２ｂ２：検証箇所、２１２ｂ３：判定結果、２１２ｃ：故障箇所予測情報、２１２ｃ１：電子機器名、２１２ｃ２：検証箇所、２１２ｃ３：想定故障レベル、２２０：ＨＦ／ＵＨＦ無線機、２２１：制御部、２２１ａ：試験データ入出力手段、２３０：衛星通信装置、２３１ａ：試験データ入出力手段。
Ｃ１，Ｃ２，Ｃ３，Ｃ４，Ｃ５：接続経路。
【図１】
0006555816.tif 000002
【図２】
0006555816.tif 000003
【図３】
0006555816.tif 000004
【図４】
0006555816.tif 000005